(57)【特許請求の範囲】
【請求項１】
構造化された界面活性剤組成物であって、この組成物の１００質量部を基準として、
（ｉ）０超〜１５質量部のアルキルエーテルスルファート界面活性剤、
（ｉｉ）０超〜１５質量部のアルキルスルファート界面活性剤、
（ｉｉｉ）０超〜８質量部のアルカノールアミド界面活性剤、
（ｉｖ）０〜１０質量部の両性界面活性剤、
（但し、成分（ｉ）、（ｉｉ）、（ｉｉｉ）および（ｉｖ）の総量は５質量部以上である）、
（ｖ）成分（ｉ）、（ｉｉ）、（ｉｉｉ）および（ｉｖ）との組み合わせで、不透明な外観を有し、また０パスカル超の降伏強度を示す、ラメラ液晶の、構造化された界面活性剤組成物を与えるのに有効な量の電解質、該電界質はＮａＣｌ、ＮＨ４Ｃｌもしくはそれらの混合物である、および
（ｖｉ）水、
を高分子増粘剤の存在なしで、含む組成物。
【請求項２】
アルキルエーテルスルファート界面活性剤のアルキル基が、トリデシル基である、請求項１記載の組成物。
【請求項３】
前記の組成物が０．５〜１０質量部のアルキルエーテルスルファート界面活性剤を含んでいる、請求項１記載の組成物。
【請求項４】
アルキルエーテルスルファート界面活性剤が、以下の構造（Ｉ）、
Ｒ１−Ｏ−(ＣｍＨ２ｍＯ)ｎ−ＳＯ３−Ｘ＋      （Ｉ）
（Ｒ１は（Ｃ８−Ｃ１８）アルキルもしくは（Ｃ８−Ｃ１８）アルケニル、ｍは２、３もしくは４、ｎは１〜７の整数、またＸ＋はカチオンである）で表される１種またはそれ以上の化合物を含む、請求項１記載の組成物。
【請求項５】
前記の組成物が１．５〜１２質量部のアルキルスルファート界面活性剤を含む、請求項１記載の組成物。
【請求項６】
アルキルスルファート界面活性剤が、構造（ＩＩ）、
【化１】
0005536462.tif 000024
（Ｒ２は（Ｃ８−Ｃ１８）アルキルまたは（Ｃ８−Ｃ１８）アルケニル、またＸ＋はカチオンである）、で表される１種またはそれ以上の化合物を含む、請求項１記載の組成物。
【請求項７】
前記の組成物が、０．５〜６質量部のアルカノールアミドを含む、請求項１記載の組成物。
【請求項８】
アルカノールアミドが、構造（ＩＩＩ）、
【化２】
0005536462.tif 000025
（Ｒ３は（Ｃ５−Ｃ２４）の飽和もしくは不飽和、直鎖もしくは分岐脂肪族基、Ｒ４およびＲ５は同じか、もしくは異なっており、Ｃ２−Ｃ４の直鎖もしくは分岐脂肪族基、ｘは０〜１０の整数、ｙは１〜１０の整数、そしてｘおよびｙの合計は１０以下である）、で表される１種またはそれ以上の化合物を含む、請求項１記載の組成物。
【請求項９】
前記の組成物が０．１〜１５質量部の電解質を含む、請求項１記載の組成物。
【請求項１０】
電解質が有機塩および無機塩の１種またはそれ以上を含む、請求項１記載の組成物。
【請求項１１】
前記の電解質がＮＨ４Ｃｌを含む、請求項１記載の組成物。
【請求項１２】
組成物が１〜９質量部の両性界面活性剤を含む、請求項１記載の組成物。
【請求項１３】
両性界面活性剤が、構造（ＩＶ）および（Ｖ）
【化３】
0005536462.tif 000026
（Ｒ６は（Ｃ１−Ｃ１８）脂肪族、ｐは２または３、Ｒ７は（Ｃ１−Ｃ１８）脂肪族、ｐ’は２または３、またそれぞれのＸ＋は独立してカチオンである）、で表される化合物から選ばれる１種またはそれ以上の化合物を含んでいる、請求項１２記載の組成物。
【請求項１４】
構造化された界面活性剤組成物であって、この組成物の１００質量部を基準として、
（ｉ）０．５〜１０質量部の、構造（Ｉ）、
Ｒ１−Ｏ−(ＣｍＨ２ｍＯ)ｎ−ＳＯ３−Ｘ＋      （Ｉ）
（Ｒ１は（Ｃ８−Ｃ１８）アルキル、ｍは２または３、ｎは１〜５の整数、Ｘ＋はカチオンである）で表される１種またはそれ以上の化合物を含むアルキルエーテルスルファート界面活性剤、
（ｉｉ）１．５〜１２質量部の、構造（ＩＩ）、
【化４】
0005536462.tif 000027
（Ｒ２は（Ｃ８−Ｃ１８）アルキル、またＸ＋はカチオンである）で表される１種またはそれ以上の化合物を含むアルキルスルファート界面活性剤、
（ｉｉｉ）０．５〜６質量部の、構造（ＩＩＩ）、
【化５】
0005536462.tif 000028
（Ｒ３は（Ｃ５−Ｃ２４）の飽和もしくは不飽和、直鎖もしくは分岐脂肪族基、Ｒ４およびＲ５は同じか、もしくは異なっており、Ｃ２−Ｃ４の直鎖もしくは分岐脂肪族基、ｘは０〜１０の整数、ｙは１〜１０の整数、そしてｘおよびｙの合計は１０以下である）で表される１種またはそれ以上の化合物を含むアルカノールアミド界面活性剤、および
（ｉｖ）０〜１０質量部の、構造（ＩＶ）および（Ｖ）、
【化６】
0005536462.tif 000029
（Ｒ６は（Ｃ１−Ｃ１８）脂肪族、ｐは２または３、Ｒ７は（Ｃ１−Ｃ１８）脂肪族、ｐ’は２または３、またそれぞれのＸ＋は独立してカチオンである）で表される化合物から選ばれる１種またはそれ以上の化合物を含む両性界面活性剤、
但し、成分（ｉ）、（ｉｉ）、（ｉｉｉ）および（ｉｖ）の総量は、該組成物の５質量部以上であり、
（ｖ）成分（ｉ）、（ｉｉ）、（ｉｉｉ）および（ｉｖ）と組み合わせて、不透明の外観を有し、また０パスカル超の降伏強度を示す、ラメラ液晶の、構造化された界面活性剤組成物を与えるのに有効な量の電解質、該電界質はＮａＣｌ、ＮＨ４Ｃｌもしくはそれらの混合物である、および
（ｖｉ）水、を高分子増粘剤の存在なしで、含む組成物。
【請求項１５】
アルキルエーテルスルファート界面活性剤のアルキル基が、トリデシル基である、請求項１４記載の組成物。
【請求項１６】
成分（ｉ）、（ｉｉ）、（ｉｉｉ）および（ｉｖ）の総量が該組成物の１０質量部以上である、請求項１４記載の組成物。
【請求項１７】
成分（ｉ）、（ｉｉ）、（ｉｉｉ）および（ｉｖ）の総量が該組成物の１５質量部以上である、請求項１４記載の組成物。
【請求項１８】
前記の組成物がパーソナルケア組成物である、請求項１４〜１７のいずれか１項記載の組成物。
【請求項１９】
前記の組成物が、更にパーソナルケア有益剤を含む、請求項１４〜１７のいずれか１項記載の組成物。
【請求項２０】
前記の有益剤が、オイル、皮膚軟化剤、保湿剤（moisturizers）、保湿剤（humectants）、コンディショナー、ポリマー、ビタミン、研磨剤、ＵＶ吸収剤、抗菌剤、ふけ防止剤、香料および外観変更添加剤の１種またはそれ以上を含む、請求項１９記載の組成物。
【請求項２１】
前記の有益剤が保湿剤（humectants）を含む、請求項２０記載の組成物。
【請求項２２】
前記の組成物が更に１種またはそれ以上のオイルを含む、請求項２１記載の組成物。
【請求項２３】
組成物であって、それぞれの場合に、該組成物の１００質量部を基準にして、
（ａ）５０〜９９質量部の水性の構造化された界面活性剤相（この構造化された界面活性剤相は、
（ｉ）０超〜１５質量部のアルキルエーテルスルファート界面活性剤、
（ｉｉ）０超〜１５質量部のアルキルスルファート界面活性剤、
（ｉｉｉ）０超〜８質量部のアルカノールアミド界面活性剤、
（ｉｖ）０〜１０質量部の両性界面活性剤、
（但し、成分（ｉ）、（ｉｉ）、（ｉｉｉ）および（ｉｖ）の総量は５質量部以上である）、
（ｖ）成分（ｉ）、（ｉｉ）、（ｉｉｉ）および（ｉｖ）との組み合わせで、不透明な外観を有し、また０パスカル超の降伏強度を示す、ラメラ液晶の、構造化された界面活性剤組成物を与えるのに有効な量の電解質、該電界質はＮａＣｌ、ＮＨ４Ｃｌもしくはそれらの混合物である、および
（ｖｉ）水、を高分子増粘剤の存在なしで、含む）、ならびに、
（ｂ）前記の水性の構造化された界面活性剤相中に分散した、１〜５０質量部の不連続な、水に不溶性の、もしくは部分的に水溶性の相、を含む組成物。
【請求項２４】
アルキルエーテルスルファート界面活性剤のアルキル基が、トリデシル基である、請求項２３記載の組成物。
【請求項２５】
前記の水に不溶性の、または部分的に水溶性の相がオイルを含む、請求項２３記載の組成物。
【請求項２６】
前記の水に不溶性の、または部分的に水溶性の相が、植物油、鉱油およびシリコーン油の１種またはそれ以上を含む、請求項２５記載の組成物。
【請求項２７】
前記の水に不溶性の、または部分的に水溶性の相が、ラッカセイ油、ヒマシ油、ココアバター、ココナツ油、トウモロコシ油、綿実油、オリーブ油、パーム核油、菜種油、ひまわり油、ベニバナ種子油、ゴマ種子油、および大豆油、シアバター、アボカド油、米ぬか油、ホホバ油、ぶどう種子油、甘扁桃油、キャノーラ油、あんず油、くるみ油、および小麦胚種油から選ばれる１種またはそれ以上の植物油を含む、請求項２６記載の組成物。
【請求項２８】
前記の水に不溶性の、または部分的に水溶性の相がペトロラタムを含む、請求項２６記載の組成物。
【発明の詳細な説明】
【技術分野】
【０００１】
本発明は、界面活性剤組成物、より好ましくは構造化された界面活性剤組成物に関する。
【背景技術】
【０００２】
構造化された界面活性剤組成物は液晶組成物であり、ホームケア（home care）用途、例えば液体洗剤、洗濯洗剤、硬質表面磨き洗剤、皿洗い液、およびパーソナルケア（personal care）製剤、例えばシャンプー、ボディーウォッシュ、手洗い用せっけん、化粧水、クリーム、コンディショナー、髭剃り用製品、洗顔料、ベビーケア（baby care）製剤、スキントリートメントにおいて有用である。構造化された界面活性剤中の界面活性剤は、平面であるラメラ相の形態、および／または球晶の形態で存在している。一般に、界面活性剤相は球晶、すなわち、水性相中に分散したラメラの小滴、として存在している。球晶は、界面活性剤分子の同心で２層の玉ねぎ様の構造からなっており、その間に水または電解質溶液が捕捉されている。専ら平面のラメラ界面活性剤相または専ら球晶ラメラ界面活性剤相または両方の形態の組み合わせは、同じ組成物中に共存することができる。構造化された界面活性剤組成物は通常は送液可能な（pumpable）、非ニュートン組成物であり、これらのラメラ界面活性剤相の存在によって、水に不溶性の粒子を物理的に懸濁する能力を有している。
【発明の概要】
【発明が解決しようとする課題】
【０００３】
低減された費用で、このようなラメラ界面活性剤相を効率よく生成する方法が求められている。
【課題を解決するための手段】
【０００４】
第１の態様では、本発明は構造化された界面活性剤組成物であって、該組成物の１００質量部を基準にして、
（ｉ）０超〜約１５質量部のアルキルエーテルスルファート界面活性剤、
（ｉｉ）０超〜約１５質量部のアルキルスルファート界面活性剤、
（ｉｉｉ）０超〜約８質量部のアルカノールアミド界面活性剤、
（ｉｖ）０〜約１０質量部の両性界面活性剤、
但し、成分（ｉ）、（ｉｉ）、（ｉｉｉ）および（ｉｖ）の総量は５質量部以上であり、
（ｖ）成分（ｉ）、（ｉｉ）、（ｉｉｉ）および（ｉｖ）との組み合わせで、不透明な外観を有し、また０パスカル超の降伏強度を示す構造化された界面活性剤組成物を与えるのに有効な量の電解質、および
（ｖｉ）水、を含む構造化された界面活性剤組成物を指向している。
【０００５】
第２の態様では、本発明は組成物であって、それぞれの場合で該組成物の１００質量部を基準にして、
（ａ）約５０〜約９９質量部の水性の構造化された界面活性剤相（この構造化された界面活性剤相は、
（ｉ）０超〜約１５質量部のアルキルエーテルスルファート界面活性剤、
（ｉｉ）０超〜約１５質量部のアルキルスルファート界面活性剤、
（ｉｉｉ）０超〜約８質量部のアルカノールアミド界面活性剤、
（ｉｖ）０〜約１０質量部の両性界面活性剤、
但し、成分（ｉ）、（ｉｉ）、（ｉｉｉ）および（ｉｖ）の総量は５質量部以上であり、
（ｖ）成分（ｉ）、（ｉｉ）、（ｉｉｉ）および（ｉｖ）との組み合わせで、不透明な外観を有し、また０パスカル超の降伏強度を示す構造化された界面活性剤組成物を与えるのに有効な量の電解質、および
（ｖｉ）水、を含む）、ならびに、
（ｂ）前記の水性の構造化された界面活性剤相中に分散した、約１〜約５０質量部の不連続な水に不溶性の、もしくは部分的に水溶性の相、を含む組成物を指向している。
【発明の効果】
【０００６】
本発明は、新規な構造化された界面活性剤を提供する。
【発明を実施するための形態】
【０００７】
ここで用いられる用語「界面活性剤」は、水中に溶解された場合に、表面張力を低減する化合物を意味する。
【０００８】
特別に記載していない限り、本明細書を通して製剤の全ての成分は質量部（「質量部」）で表してあり、また構造化された界面活性剤組成物の１００質量部を基準にしている。
【０００９】
ここで言及される「ラメラ界面活性剤相」は、液体媒体によって隔てられた、複数の積層された界面活性剤の二重層を含む相である。ラメラ相は通常は流動性の（puorable）、非ニュートンの、両性の組成物であり、曇ったように見え、そして流れるときに「べたつく」（smeary）ような外観を呈する。ラメラ相は幾つかの異なる形態で存在することができ、その形態には平行なシートの層（そのそれぞれのシートは界面活性剤の二重層である）、および同心の球状の殻から形成された球晶（そのそれぞれの殻は界面活性剤の二重層である）が含まれる。この球晶は、通常は直径が０．１〜５０μｍの範囲であり、従ってミセルとは基本的に異なっている。
【００１０】
本発明の組成物は、秩序ある液晶相、通常はラメラ液晶相、より典型的には球晶ラメラ液晶相を含み、また外観検査では、秩序ある液晶相の存在によって、不透明な外観を呈する。
【００１１】
ここで用いられる用語「不透明の」は、光に対して完全な透明ではないことを意味しており、そして曇った半透明の外観から、濁った外観を経て、均一な、飽和した白色の外観までを意味する。１つの態様では、本発明の構造化された界面活性剤混合物は、濁った外観から、均一な、飽和した白色の外観までの範囲に及んでいる。
【００１２】
秩序ある液晶相は、単独でまたは通常は水性の相と入り交じって、系が静止している場合には、いかなる懸濁された粒子をも静止させるに十分な流動・変形性（rheology）を与えるが、しかしながら、この流動・変形性（rheology）は系が、通常の液体のように送液される（pumped）ことを可能にするのに十分なほど小さい。このような系は攪拌され、送液され、または注がれた場合には極めて低い見掛け粘度を示す可能性があり、また更に、ミリメートルもしくはそれよりも大きい粒径の粒子を、懸濁液中に保持することができる。
【００１３】
１つの態様では、本発明の組成物は、シアシニング（shear-thinning）粘度を示す。ここで粘度を表わすのに用いられる用語「シアシニング（shear-thinning）」は、剪断速度の増加に伴って減少する粘度を意味している。シアシニング（shear-thinning）は非ニュートン挙動として、粘度が剪断速度に依存しない古典的なニュートン流体、例えば水と異なることで特徴づけることができる。
【００１４】
ここで用いられる「降伏強度」は、組成物に流動を生じさせるのに必要な加えられた力の大きさを称している。１つの態様では、この組成物は、２種またはそれ以上の剪断速度で制御された応力／歪レオメータを用いた測定によって測定した値で、０．１パスカル（「Ｐａ」）超、より好ましくは約１〜約１００Ｐａ、そして更に好ましくは約１〜約１０Ｐａの降伏強度を示す。
【００１５】
１つの態様では、本発明の組成物は、水に不溶性のまたは部分的に水溶性の成分を懸濁することができる。
【００１６】
ここで水性組成物の成分に関して用いられる用語「水に不溶性のまたは部分的に水溶性の成分」は、この成分が水性組成物中に溶解限度を超えた濃度で存在しており、そのために、水に不溶性の成分の場合には、この成分は水性組成物中で実質的に溶解せずに残留し、また部分的に水溶性の成分の場合には、この成分の少なくとも１部が水性媒体中で溶解せずに残留することを意味している。水に不溶性のまたは部分的に水溶性の成分は、例えば、固体粒子、連続もしくは不連続の液体相、例えばオイルの小滴、または不連続の気体相、例えば気泡、の形態であることができる。
【００１７】
ここで用いられる水性組成物の特徴である、水に不溶性のもしくは部分的に水溶性の成分を「懸濁することができる」、または「懸濁する能力がある」は、この組成物が、この組成物中でのこの成分の浮揚、またはこの組成物中でのこの成分の沈降に実質的に抵抗し、そのためにその組成物中でこの成分は中性浮力にあるように見え、そしてこの水性組成物への予期される処理、貯蔵、および使用条件の下で、その組成物中に少なくとも実質的に懸濁されたままでいることを意味している。水に不溶性の、もしくは部分的に水溶性の成分を懸濁する能力は、本発明の降伏強度が零でないことの１つの発現であり、すなわち、本発明の構造化された界面活性剤組成物の低い応力で変形することへの抵抗が、水に不溶性の、もしくは部分的に水溶性の成分に作用する重力と均衡するのに十分であるために、この成分が構造化された界面活性剤組成物中に懸濁されたままでいる。
【００１８】
本発明の構造化された界面活性剤組成物は、組成物１００質量部を基準として、約４０〜約９０質量部、より好ましくは約５０〜約８５質量部の水を含んでいる。
【００１９】
ここで用いられる有機基に関する表記「（Ｃｘ−Ｃｙ）」（ｘおよびｙはそれぞれ整数である）は、この基は、基当たりにｘ〜ｙの炭素原子を含んでいてもよいことを示している。
【００２０】
ここで用いられる用語「アルキル」は、一価の飽和直鎖もしくは分岐炭化水素基、より好ましくは一価の飽和（Ｃ８−Ｃ１８）炭化水素基、例えばオクチル、ノニル、デシル、ウンデシル、ドデシル、トリデシル、テトラデシル、ペンタデシル、ヘキサデシル、ヘプタデシル、オクタデシル、メチルドデシル、エチルウンデシル、またはジメチルウンデシル、を意味している。アルキル基はまた、それらの慣用名でも呼称され、たとえば、「ラウリル」および「ドデシル」はそれぞれＣ１２アルキルを称し、また「テトラデシル」および「ココ」はそれぞれＣ１４アルキルを呼称している。
【００２１】
ここで用いられる用語「アルケニル」は、一価の不飽和直鎖もしくは分岐炭化水素基、より好ましくは一価の不飽和（Ｃ８−Ｃ１８）炭化水素基、例えば、オクテニル、ノネニル、デセニル、ウンデセニル、ドデセニル、トリデセニル、テトラデセニル、ペンタデセニル、ヘキサデセニル、ヘプタデセニル、オクタデセニル、メチルドデセニル、エチルウンデセニル、またはジメチルウンデセニル、を意味している。
【００２２】
ここで用いられる用語「カチオン」は、パーソナルケア組成物中での使用が受け入れられているカチオンを意味しており、ナトリウム、カリウム、リチウム、カルシウム、マグネシウム、およびアンモニウムカチオン、同様に、（Ｃ１−Ｃ６）アルキルアンモニウムおよび（Ｃ１−Ｃ６）アルコキシルアンモニウムカチオン、例えばイソプロピルアンモニウム、モノエタノールアンモニウム、ジエタノールアンモニウム、およびトリエタノールアンモニウムカチオン、が挙げられる。アンモニウム塩は通常、ナトリウム塩よりもより溶解性である。上記のカチオンの混合物も用いることができる。
【００２３】
１つの態様では、本発明の組成物は、この組成物の１００質量部を基準として、約０．５〜約１０質量部、より好ましくは約１〜約８質量部のアルキルエーテルスルファート界面活性剤を含んでいる。
【００２４】
１つの態様では、アルキルエーテルスルファート界面活性剤は、以下の構造（Ｉ）、
Ｒ１−Ｏ−(ＣｍＨ２ｍＯ)ｎ−ＳＯ３−Ｘ＋      （Ｉ）
（Ｒ１は（Ｃ８−Ｃ１８）アルキルもしくは（Ｃ８−Ｃ１８）アルケニル、より好ましくは（Ｃ１０−Ｃ１４）アルキル、ｍは２、３もしくは４、ｎは１〜約７の整数、更に好ましくは１〜６の整数、Ｘ＋はカチオンである）で表される１種またはそれ以上の化合物を含んでいる。
【００２５】
１つの態様では、Ｒ１は分岐（Ｃ８−Ｃ１８）アルキル基または（Ｃ８−Ｃ１８）アルケニル基、より好ましくは分岐（Ｃ１０−Ｃ１６）アルキル基、例えばトリデシルである。
【００２６】
適切な分岐アルキル基としては、メチルデシル基、メチルウンデシル基、メチルドデシル基、エチルデシル基、エチルウンデシル基、およびエチルドデシル基、例えば１−メチルデシル、１−メチルウンデシル、１−メチルドデシル、１−エチルデシル、１−エチルウンデシル、および１−エチルドデシル、が挙げられる。
【００２７】
１つの態様では、ｍは２または３、より好ましくは２である。
１つの態様では、ｎは１、２、３または４である。ここで用いられている、接尾辞「ス（eth）」でアルキルまたはアケニル基を変更したものは、通常は１つまたはそれ以上のエチレンオキシド単位の付加を示し、例えばトリデセスはエトキシル化トリデシル基を表し、また接尾辞「−ｎ」（ｎは整数）はこのようなエチレンオキシド単位の基当たりの数を示しており、例えば「トリデセス−３」は、トリデシル基当たりに３つのエチレンオキシド単位を備えたエトキシル化トリデシル基を示している。
【００２８】
１つの態様では、アルキルエーテルスルファート界面活性剤は、ラウレス硫酸ナトリウム、ラウレス硫酸カリウム、ラウレス硫酸マグネシウム、ラウレス硫酸アンモニウム、ラウレス硫酸モノエタノールアミン、ラウレス硫酸ジエタノールアミン、ラウレス硫酸トリエタノールアミン、トリデセス硫酸ナトリウム、トリデセス硫酸マグネシウム、トリデセス硫酸アンモニウム、トレデセス硫酸モノエタノールアミン、トリデセス硫酸ジエタノールアミン、およびトリデセス硫酸トリエタノールアミン、オレス硫酸ナトリウム、オレス硫酸カリウム、オレス硫酸マグネシウム、オレス硫酸アンモニウム、オレス硫酸モノエタノールアミン、オレス硫酸ジエタノールアミン、オレス硫酸トリエタノールアミンから選ばれる１種またはそれ以上の化合物を含んでいる。
【００２９】
１つの態様では、アルキルエーテルスルファート界面活性剤は、トリデセス−１硫酸ナトリウム、トリデセス−１硫酸カリウム、およびトリデセス−１硫酸アンモニウム、トリデセス−２硫酸ナトリウム、トリデセス−２硫酸カリウム、およびトリデセス−２硫酸アンモニウム、トリデセス−３硫酸ナトリウム、トリデセス−３硫酸カリウム、およびトリデセス−３硫酸アンモニウム、トリデセス−４硫酸ナトリウム、トリデセス−４硫酸カリウム、およびトリデセス−４硫酸アンモニウムから選ばれる１種またはそれ以上の分岐アルキルエーテルスルファートを含んでいる。
【００３０】
１つの態様では、本発明の組成物は、この組成物の１００質量部を基準にして、約１．５〜約１２質量部、より好ましくは約３〜約１０質量部のアルキルスルファート界面活性剤を含んでいる。
【００３１】
１つの態様では、アルキルスルファート界面活性剤は、構造（ＩＩ）で表される１種またはそれ以上の化合物を含んでいる。
【００３２】
【化１】
0005536462.tif 000002
【００３３】
ここで、Ｒ２は（Ｃ８−Ｃ１８）アルキルまたは（Ｃ８−Ｃ１８）アルケニル、そしてＸ＋はカチオンである。
１つの態様では、Ｒ２はドデシル、トリデシルまたはオレイルである。
【００３４】
１つの態様では、アルキルスルファート界面活性剤は、ラウリル硫酸ナトリウム、ラウリル硫酸カリウム、ラウリル硫酸マグネシウム、ラウリル硫酸アンモニウム、ラウリル硫酸モノエタノールアミン、ラウリル硫酸ジエタノールアミン、ラウリル硫酸トリエタノールアミン、トリデシル硫酸ナトリウム、トリデシル硫酸カリウム、トリデシル硫酸マグネシウム、トリデシル硫酸アンモニウム、トリデシル硫酸モノエタノールアミン、トリデシル硫酸ジエタノールアミン、トリデシル硫酸トリエタノールアミン、オレイル硫酸ナトリウム、オレイル硫酸カリウム、オレイル硫酸マグネシウム、オレイル硫酸アンモニウム、オレイル硫酸モノエタノールアミン、オレイル硫酸ジエタノールアミン、オレイル硫酸トリエタノールアミンから選ばれる１種またはそれ以上の化合物を含んでいる。
【００３５】
１つの態様では、本発明の組成物は、この組成物の１００質量部を基準にして、約０．５〜約６質量部、より好ましくは約１〜約４質量部のアルカノールアミドを含んでいる。
【００３６】
１つの態様では、このアルカノールアミドは、構造（ＩＩＩ）で表される１種またはそれ以上の化合物を含んでいる。
【００３７】
【化２】
0005536462.tif 000003
【００３８】
ここで、Ｒ３は（Ｃ５−Ｃ２４）の飽和もしくは不飽和、直鎖もしくは分岐脂肪族基、Ｒ４およびＲ５は同じか、もしくは異なっており、Ｃ２−Ｃ４の直鎖もしくは分岐脂肪族基、ｘは０〜１０の整数、ｙは１〜１０の整数、そしてｘおよびｙの合計は１０以下である。
【００３９】
適切なアルカノールアミドとしては、脂肪酸アルカノールアミド、例えばコカミドＭＥＡ（ココモノエタノールアミド）およびコカミドＭＩＰＡ（ココモノイソプロパノールアミド）、コカミドＤＥＡ（ココジエタノールアミド)、ラウロアミドＭＥＡ（ラウリルモノエタノールアミド）、ラウロアミドＤＥＡ（ラウリルジエタノールアミド）、およびアルコキシル化アルカノールアミド、例えばＰＥＧ−５コカミドＭＥＡ（上記の構造（ＩＩＩ）で表される化合物）（これは、Ｒ３が（Ｃ１２−Ｃ１２）アルキル、Ｒ４およびＲ５がそれぞれＣ２Ｈ４、およびｘ＋ｙ＝５である化合物である。）、また上記のいずれかの混合物、が挙げられる。
【００４０】
１つの態様では、化合物（ｉ）、（ｉｉ）、（ｉｉｉ）および（ｉｖ）の総量は、組成物の約１０質量部以上、より好ましくは約１５質量部以上である。
【００４１】
本発明の組成物の電解質成分は、ラメラ液晶界面活性剤相の形成を引き起こし、それから本発明の構造化された組成物の不透明な外観および零でない降伏強度がもたらされる。
【００４２】
１つの態様では、本発明の構造化された界面活性剤組成物は更に、構造化された界面活性剤組成物の１００質量部を基準として、約２０質量部以下、より好ましくは約０．１〜約１５質量部、そして更に好ましくは約０．５〜約１０質量部の電解質を含んでいる。
【００４３】
適切な電解質としては、有機塩、無機塩、およびそれらの混合物、また高分子電解質、例えばアンキャップド（uncapped）ポリアクリレート、ポリマレエート、またはポリカルボキシレート、リグニンスルホン酸塩、もしくはナフタレンスルホン酸塩ホルムアルデヒド共重合体が挙げられる。この電解質は通常は、カチオン性化合物およびアニオン性化合物を有する塩を含んでいる。適切なカチオンは、一価もしくは多価であってよく、有機もしくは無機であってよく、また、例えば、ナトリウム、カリウム、リチウム、カルシウム、マグネシウム、セシウム、およびリチウムカチオン、またモノ−、ジ−、トリ−もしくは第四級アンモニウムまたはピリジニウムカチオンが挙げられる。適切なアニオンは、一価もしくは多価であってよく、有機もしくは無機であってよく、また、例えば塩素、硫酸、硝酸、亜硝酸、炭酸、クエン酸、シアン酸、酢酸、安息香酸、酒石酸、シュウ酸、リン酸、およびホスホン酸アニオンが挙げられる。適切な電解質としては、例えば多価アニオンと一価のカチオンとの塩、例えばピロリン酸カリウム、トリポリリン酸カリウム、およびクエン酸ナトリウム、多価カチオンと一価のアニオンとの塩、例えば塩化カルシウム、臭化カルシウム、ハロゲン化亜鉛、塩化バリウム、および硝酸カルシウム、および一価のカチオンと一価のアニオンとの塩、例えば塩化ナトリウム、塩化カリウム、ヨウ化カリウム、臭化ナトリウム、臭化アンモニウム、アルカリ金属硝酸塩、および硝酸アンモニウム、が挙げられる。電解質は、個別の成分として、または本発明の組成物の他の成分と組み合わせて加えることができる。
【００４４】
１つの態様では、電解質はＮａＣｌ、ＮＨ４Ｃｌ、またはそれらの混合物を含んでいる。本発明の組成物の電解質成分の少なくとも一部としての、ＮＨ４Ｃｌの使用は、改善された効率を与えることが見出されており、すなわち、他の電解質に比べてより少量のＮＨ４Ｃｌが必要とされ、この組成物の他の成分と組み合わせて、不透明な外観を有し、０パスカルよりも大きい降伏強度を示す構造化された界面活性剤組成物を与える。１つの態様では、該電解質はＮＨ４Ｃｌを含んでいる。
【００４５】
１つの態様では、本発明の組成物は更に両性界面活性剤を含んでいる。
【００４６】
１つの態様では、本発明の組成物は、この組成物の１００質量部を基準として、約１〜約８質量部、より好ましくは約２〜約６質量部の両性界面活性剤を含んでいる。
【００４７】
適切な両性界面活性剤としては、例えば脂肪族第二級および第三級アミンの誘導体（その脂肪族基は直鎖でも分岐していても良く、また一方の脂肪族置換基は約８〜約１８の炭素原子を含み、また一方はアニオン性の水溶性基を含む）、またそれらの混合物、が挙げられる。適切な両性界面活性剤の具体的な例としては、アルキルアンホカルボキシグリシン酸塩およびアルキルアンホカルボキシプロピオン酸塩、アルキルアンホジプロピオン酸塩、アルキルアンホジ酢酸塩、アルキルアンホグリシン酸塩およびアルキルアンホプロピオン酸塩、同様にアルキルイミノプロピオン酸塩、アルキルイミノジプロピオン酸塩およびアルキルアンホプロピルスルホン酸塩、例えばココアンホ酢酸塩、ココアンホプロピオン酸塩、ココアンホジ酢酸塩、ラウロアンホ酢酸塩、ラウロアンホジ酢酸塩、ラウロアンホジプロピオン酸塩、ラウロアンホジ酢酸塩、ココアンホプロピルスルホン酸塩、カプロアンホジ酢酸塩、カプロアンホ酢酸塩、カプロアンホジプロピオン酸塩、およびステアロアンホ酢酸塩の、アルカリ金属、アルカリ土類金属、アンモニウムまた置換アンモニウム塩が挙げられる。
【００４８】
１つの態様では、両性界面活性剤は、構造（ＩＶ）および（Ｖ）で表される化合物から選ばれる１種またはそれ以上の化合物を含んでいる。
【００４９】
【化３】
0005536462.tif 000004
【００５０】
ここで、Ｒ６は（Ｃ１−Ｃ１８）脂肪族、ｐは２または３、Ｒ７は（Ｃ１−Ｃ１８）脂肪族、ｐ’は２または３、またそれぞれのＸ＋は独立してカチオンである。
【００５１】
１つの態様では、Ｒ６は（Ｃ１０−Ｃ１４）、より好ましくはデシル、ドデシル、またはドデシルおよびテトラデシルの混合物である。
【００５２】
１つの態様では、Ｒ７は（C１０−Ｃ１４）アルキル、より好ましくはデシル、ドデシル、またはドデシルおよびテトラデシルの混合物である。
【００５３】
１つの態様では、両性界面活性剤は、ラウロアンホ酢酸ナトリウム、ラウロアンホジ酢酸２ナトリウム、ラウロアンホプロピオン酸ナトリウム、ラウロアンホジプロピオン酸２ナトリウム、ココアンホ酢酸ナトリウム、ココアンホジ酢酸２ナトリウム、カプリロアンホプロピオン酸ナトリウム、およびカプリロアンホジ酢酸２ナトリウムの１種またはそれ以上を含んでいる。
【００５４】
１つの態様では、構造化された界面活性剤組成物は、この組成物の１００質量部を基準として、
（ｉ）０超〜約１５質量部、より好ましくは約０．５〜約１０質量部、また更に好ましくは約１〜約８質量部の、構造（Ｉ）で表される１種またはそれ以上の化合物を含むアルキルエーテルスルファート界面活性剤、
Ｒ１−Ｏ−(ＣｍＨ２ｍＯ)ｎ−ＳＯ３−Ｘ＋      （Ｉ）
（Ｒ１は（Ｃ８−Ｃ１８）アルキル、ｍは２または３、ｎは１〜約５の整数、Ｘ＋はカチオンである）
（ｉｉ）０超〜約１５質量部、より好ましくは約１．５〜約１２質量部、そして更に好ましく約３〜約１０質量部の、構造（ＩＩ）で表される１種またはそれ以上の化合物を含むアルキルスルファート界面活性剤、
【００５５】
【化４】
0005536462.tif 000005
【００５６】
（ここで、Ｒ２は（Ｃ８−Ｃ１８）アルキル、またＸ＋はカチオンである）
（ｉｉｉ）０超〜約１０質量部、より好ましくは約０．５〜約６質量部、更に好ましくは約１〜約４質量部の、構造（ＩＩＩ）で表される１種またはそれ以上の化合物を含むアルカノールアミド界面活性剤、
【００５７】
【化５】
0005536462.tif 000006
【００５８】
（ここで、Ｒ３は（Ｃ５−Ｃ２４）の飽和もしくは不飽和、直鎖もしくは分岐脂肪族基、Ｒ４およびＲ５は同じか、もしくは異なっており、Ｃ２−Ｃ４の直鎖もしくは分岐脂肪族基、ｘは０〜１０の整数、ｙは１〜１０の整数、そしてｘおよびｙの合計は１０以下である）
（ｉｖ）０〜約１０質量部、より好ましくは約１〜約８質量部、そして更に好ましくは約２〜約６質量部の、構造（ＩＶ）および（Ｖ）で表される化合物から選ばれる１種またはそれ以上の化合物を含む両性界面活性剤、
【００５９】
【化６】
0005536462.tif 000007
【００６０】
（ここで、Ｒ６は（Ｃ１−Ｃ１８）脂肪族、ｐは２または３、Ｒ７は（Ｃ１−Ｃ１８）脂肪族、ｐ’は２または３、またそれぞれのＸ＋は独立してカチオンである）
但し、成分（ｉ）、（ｉｉ）、（ｉｉｉ）および（ｉｖ）の総量は、該組成物の５質量部以上、より好ましくは約１０質量部以上、そして更に好ましくは約１５質量部以上であり、
（ｖ）成分（ｉ）、（ｉｉ）、（ｉｉｉ）および（ｉｖ）と組み合わせて、不透明の外観を有し、また０パスカル超の降伏強度を示す構造化された界面活性剤組成物を与えるのに有効な量の電解質、および
（ｖｉ）水、を含んでいる。
【００６１】
この組成物は、場合によって、更にこの組成物の１００質量部当たりに、約３０質量部以下、より好ましくは約１０質量部以下の更なる界面活性剤を含んでおり、それらの界面活性剤としては、カチオン性界面活性剤、アルカノールアミド以外のノニオン系界面活性剤、両性イオン界面活性剤、およびそれらの混合物が挙げられる。
【００６２】
適切なカチオン性界面活性剤は、通常はモノカチオン性化合物、すなわち、分子当たりに単一のカチオン性サイトを有しており、また第四級アンモニウム化合物、例えばセチルトリメチルアンモニウムブロミド（ＣＥＴＡＢまたはセトリモニウムブロミドとしても知られている）、セチルトリメチルアンモニウムクロリド（セトリモニウムクロリドとしても知られている）、ミリスチルトリメチルアンモニウムブロミド（ミルトリモニウムブロミドまたはクオタニウム−１３（Quaternium-13）としても知られている）、ステアリルジメチルジステアリルジモニウムクロリド、ジセチルジモニウムクロリド、ステアリルオクチルジモニウムメトスルファート、二水素化パルモイル（palmoyl）エチルヒドロキシエチルモニウムメトスルファート、イソステアリルベンジルイミドニウムクロリド、ココイルベンジルヒドロキシエチルイミダゾリニウムクロリド、ジセチルジモニウムクロリドおよびジステアリルジモニウムクロリド；イソステアリルアミノプロパルコニウムクロリドまたはオレアルコニウムクロリド；ベヘントリモニウムクロライド、同様にそれらの混合物、が挙げられる。
【００６３】
１つの態様では、本発明の組成物はモノカチオン性界面活性剤を含まない。１つの態様では、本発明の組成物はカチオン性界面活性剤を含まない。１つの態様では、本発明の組成物は、下記のようなポリカチオン性高分子増粘剤、例えばカチオン性グアー（guar）以外のカチオン性化合物を含まない。
【００６４】
適切なノニオン性界面活性剤としては、アミンオキシド、例えばラウラミンオキシド、コカミンオキシド、ステアラミンオキシド、ステアラミドプロピルアミンオキシド、パルミタミドプロピルアミンオキシド、デシルアミンオキシド、脂肪族アルコール、例えばデシルアルコール、ラウリルアルコール、トリデシルアルコール、ミリスチルアルコール、セチルアルコール、ステアリルアルコール、オレイルアルコール、リノレイルアルコールおよびリノレニルアルコール、アルコキシル化アルコール、例えば分子当たりに平均で５エチレンオキシド単位を有するエトキシル化ラウリルアルコール、トリデセスアルコール、脂肪酸、例えばラウリル酸、オレイン酸、ステアリン酸、ミリスチン酸、セテアリン酸、イソセテアリン酸、リノレイン酸、リノレン酸、リシノール酸、エライジン酸、アリキドン酸（arichidonic acid）、ミリストレイン酸、脂肪酸エステル、例えばプロピレングリコールイソステアレート、プロピレングリコールオレート、グリセリルイソステアレート、およびグリセリルオレート、およびそれらの混合物が挙げられる。
【００６５】
１つの態様では、本発明の組成物は、この組成物のアルカノールアミド成分以外のノニオン性界面活性剤を含まない。
【００６６】
適切な両性イオン界面活性剤としては、アルキルベタイン、例えばココジメチルカルボキシメチルベタイン、ラウリルジメチルカルボキシメチルベタイン、ラウリルジメチルアルファカルボキシエチルベタイン、セチルジメチルカルボキシメチルベタイン、ラウリルビス（２−ヒドロキシエチル）カルボキシメチルベタイン、ステアリルビス（２−ヒドロキシプロピル）カルボキシメチルベタイン、オレイルジメチルガンマカルボキシプロピルベタイン、およびラウリルビス（２−ヒドロキシプロピル）アルファカルボキシエチルベタイン、アミドプロピルベタイン、およびアルキルスルタイン、例えばココジメチルスルホプロピルベタイン、ステアリルジメチルスルホプロピルベタイン、ラウリルジメチルスルホエチルベタイン、ラウリルビス（２−ヒドロキシエチル）スルホプロピルベタイン、およびアルキルアミドプロピルヒドロキシスルタインが挙げられる。
【００６７】
本発明の構造化された界面活性剤組成物は、場合によっては更に、１種またはそれ以上の保存料、例えばベンジルアルコール、メチルパラベン、プロピルパラベンまたはイミダゾリジニル尿素、およびＤＭＤＭヒダントインを含んでいてもよく、また場合によっては、更に１種またはそれ以上のｐＨ調整剤、例えばクエン酸、コハク酸、リン酸、水酸化ナトリウム、または炭酸ナトリウムを含んでいてもよい。
【００６８】
通常は、構造化された界面活性剤組成物はアニオン性界面活性剤および水を混ぜ合わせて混合し、構造化剤を添加し、次いで溶媒を添加し、そして場合によってはｐＨを調整し、および／または保存料を加えることによって作られる。あるいは、溶媒はアニオン性界面活性剤および水と共に加えられてもよい。構造化された界面活性剤組成物はまた、高剪断混合に付すこともできる。ここで用いられる用語「高剪断混合」は、高剪断条件の下、通常は約１０００ｓ−１以上、より好ましくは約３５００ｓ−１以上の剪断速度での混合を指している。
【００６９】
構造化された界面活性剤組成物は、既知の混合装置、例えば高剪断混合機、またはホモジナイザー中で高剪断混合に付すことができる。
【００７０】
１つの態様では、本発明の構造化された界面活性剤組成物のｐＨは、４〜８、より好ましくは５〜６である。
【００７１】
本発明の組成物は、水に不溶の粒子または部分的に水溶性の成分、例えば植物油、炭化水素油、シリコーン油、固体粒子、研磨剤、および類似の物を懸濁することが可能である。この組成物は、さもなければ組み入れることが困難な成分を界面活性剤混合物中に含める手段を提供し、多機能の利益を備えた化粧製剤、例としては、クレンジング、保湿、改善された皮膚感触、剥離／研磨、新規な外観、またはそれらの利益の組み合わせをもたらす。
【００７２】
組成物が水に不溶性の、または部分的に水溶性の成分を懸濁する能力は、通常はこの組成物を界面活性剤と、この組成物中に気泡を閉じ込めるのに十分なほど激しく攪拌して、そして次いでこの気泡が、所定の期間、例えば１２〜２４時間、所定の環境条件、例えば室温において、この組成物中に閉じ込められたままであるか否かを目視で観察することによって評価される。１つの態様では、本発明の組成物は気泡を１週間以上、そしてより好ましくは３ヶ月以上懸濁していることができる。気泡を１２時間以上、室温で懸濁していることができる組成物は、一般に水に不溶性の、または部分的に水溶性の成分を、このような組成物について一般に予測される加工、貯蔵、および使用条件下で、組成物中に懸濁することができると見なされる。空気以外の成分については、空気懸濁試験の結果が、注目されている成分を用いた同様の懸濁試験を行うことによって確認されるべきである。著しく厳密な加工、貯蔵、および／または使用条件に対しては、より厳密な試験が適切である。
【００７３】
１つの態様では、水に不溶性の、または部分的に水溶性の成分を懸濁する能力は、より厳密な条件、すなわち、混合された試料は、この試料を１回またはそれ以上の凍結／解凍サイクルに付した後に目視で評価され、それぞれの凍結／解凍サイクルは、−１０℃に１２時間、および２５℃に１２時間のサイクルからなっている。１つの態様では、本発明の組成物は、１回の凍結／解凍サイクル、より好ましくは３回の凍結／解凍サイクル後も、気泡を懸濁していることができ続ける。
【００７４】
本発明の組成物は、例えばパーソナルケア用途、例えば、シャンプー、ボディーソープ、手洗い用せっけん、化粧水、クリーム、コンディショナー、髭剃り用製品、洗顔料、中性シャンプー、パーソナルワイプ（personal wipes）、およびスキントリートメント、ならびにホームケア用途、例えば、液体洗剤、洗濯洗剤、硬質表面磨き洗剤、皿洗い液、便器用洗浄剤、同様に他の用途、例えば油田および農薬用途において有用である。
【００７５】
１つの態様では、本発明のパーソナルケア組成物は１種またはそれ以上の「有益剤」、すなわち、パーソナルケアに、そのパーソナルケア組成物の使用者への利益、例えば保湿またはコンディショニング、を与える物質、例えば皮膚軟化剤、オイル、保湿剤（moisturizers）、保湿剤（humectants）、コンディショナー、ポリマー、ビタミン、研磨剤、ＵＶ吸収剤、抗菌剤、ふけ防止剤、香料および／または外観変更添加剤、例えば着色粒子もしくは反射粒子を含んでおり、それらは固体、液体または気体の形態であってよく、また構造化された界面活性剤組成物中に不溶であっても、もしくは部分的に可溶であってもよい。有益剤の混合物も用いることができる。
【００７６】
１つの態様では、本発明のパーソナルケア組成物は、有益剤の皮膚または髪上への改善された堆積を与える。
【００７７】
１つの態様では、本発明によるパーソナルケア組成物は保湿剤（humectants）を含んでいる。適切な保湿剤は、表皮に水分を引き付けるのに有用な、生理的に、また美容上容認できるような物質であり、例えば乳酸アンモニウム、乳酸ナトリウム、プロピレングリコール、ブチレングリコール、グリセリン、ジグリセリン、はちみつ、ポリグリセリルメタクリレート、乳酸、ヒアルロン酸、グルクロン酸、ポリグルクロン酸、グルタミン酸、グルクロノラクトン、２−ピロリドン−５−カルボン酸のナトリウム塩（「ナトリウムＰＣＡ」）、パンテノール、ソルビトール、ヒドロキシエチルソルビトール、グルコース、キシロース、アスパラギン酸ナトリウム、およびポリアスパラギン酸ナトリウム、尿素、同様に前記のいずれかの混合物が挙げられる。１つの態様では、保湿剤（humectants）はグリセリンを含んでいる。
【００７８】
１つの態様では、本発明のパーソナルケア組成物は、それぞれの場合において、この組成物の１００質量部を基準として、
（ａ）約５０〜１００質量部未満、より好ましくは約７０〜約９９質量部の水性の構造化された界面活性剤相（この構造化された界面活性剤相は、
（ｉ）０超〜約１５質量部、より好ましくは約０．５〜約１０質量部、そして更に好ましくは約１〜約８質量部の以下の構造（Ｉ）、
Ｒ１−Ｏ−(ＣｍＨ２ｍＯ)ｎ−ＳＯ３−Ｘ＋      （Ｉ）
（Ｒ１は（Ｃ８−Ｃ１８）アルキル、ｍは２または３、ｎは１〜約５の整数、またＸ＋はカチオンである）、
で表される１種またはそれ以上の化合物を含むアルキルエーテルスルファート界面活性剤、
（ｉｉ）０超〜約１５質量部、より好ましくは約１．５〜約１２質量部、そして更に好ましく約３〜約１０質量部の、構造（ＩＩ）で表される１種またはそれ以上の化合物を含むアルキルスルファート界面活性剤、
【００７９】
【化７】
0005536462.tif 000008
【００８０】
（Ｒ２は（Ｃ８−Ｃ１８）アルキル、またＸ＋はカチオンである）
（ｉｉｉ）０超〜約１０質量部、より好ましくは約０．５〜約６質量部、更に好ましくは約１〜約４質量部の、式（ＩＩＩ）で表される１種またはそれ以上の化合物を含むアルカノールアミド界面活性剤、
【００８１】
【化８】
0005536462.tif 000009
【００８２】
（Ｒ３は（Ｃ５−Ｃ２４）の飽和もしくは不飽和、直鎖もしくは分岐脂肪族基、Ｒ４およびＲ５は同じか、もしくは異なっており、Ｃ２−Ｃ４の直鎖もしくは分岐脂肪族基、ｘは０〜１０の整数、ｙは１〜１０の整数、そしてｘおよびｙの合計は１０以下である）、および
（ｉｖ）０〜約１０質量部、より好ましくは約１〜約８質量部、そして更に好ましくは約２〜約６質量部の、構造（ＩＶ）および（Ｖ）で表される化合物から選ばれる１種またはそれ以上の化合物を含む両性界面活性剤、
【００８３】
【化９】
0005536462.tif 000010
【００８４】
（Ｒ６は（Ｃ１−Ｃ１８）脂肪族、ｐは２または３、Ｒ７は（Ｃ１−Ｃ１８）脂肪族、ｐ’は２または３、またそれぞれのＸ＋は独立してカチオンである）
但し、成分（ｉ）、（ｉｉ）、（ｉｉｉ）および（ｉｖ）の総量は、該組成物の５質量部以上、より好ましくは約１０質量部以上、そして更に好ましくは約１５質量部以上であり、
（ｖ）成分（ｉ）、（ｉｉ）、（ｉｉｉ）および（ｉｖ）と組み合わせて、不透明の外観を有し、また０パスカル超の降伏強度を示す構造化された界面活性剤組成物を与えるのに有効な量の電解質、および
（ｖｉ）水、を含んでいる）、ならびに
（ｂ）０超〜約５０質量部、より好ましくは約１〜約３０質量部の１種またはそれ以上の有益剤、を含んでいる。
【００８５】
本発明のパーソナルケア組成物の１つの態様では、有益剤は保湿剤（humectant）を含んでいる。１つの態様では、この有益剤はこの組成物の１００質量部を基準として、０超〜約２５質量部、より好ましくは約０．５〜約２０質量部の保湿剤を含んでいる。
【００８６】
本発明のパーソナルケア組成物の１つの態様では、この有益剤は１種またはそれ以上のオイルを含んでいる。１つの態様では、この有益剤は、この組成物の１００質量部を基準として、０超〜約４０質量部、より好ましくは約０．５〜約３０質量部のオイルを含んでいる。
【００８７】
本発明のパーソナルケア組成物の１つの態様では、有益剤は保湿剤（humectant）および１種またはそれ以上のオイルを含んでいる。
【００８８】
１つの態様では、パーソナルケア組成物は、この組成物の１００質量部を基準として、それぞれの場合において、約５０〜１００質量部未満、より好ましくは約７０〜約９９質量部の、上記の本発明による水性の構造化された界面活性剤組成物を含む水性の構造化された界面活性剤相を有しており、また０超〜約５０質量部、より好ましくは約１〜約３０質量部の、水性の構造化された界面活性剤相中に分散された不連続な、水に不溶か、もしくは部分的に水溶性の相、を含んでいる。
【００８９】
１つの態様では、水に不溶な、または部分的に水溶性の相はオイルを含んでいる。
【００９０】
有益剤として、および／または水に不溶性の、もしくは部分的に水溶性の相の成分として適切なオイルとしては、植物油、例えばラッカセイ油、ヒマシ油、ココアバター、ココナツ油、トウモロコシ油、綿実油、オリーブ油、パーム核油、菜種油、ひまわり油、ベニバナ種子油、ゴマ種子油、および大豆油、シアバター、アボカド油、米ぬか油、ホホバ油、ぶどう種子油、甘扁桃油、キャノーラ油、あんず油、くるみ油、および小麦胚種油、鉱油、例えばペトロラタム、およびシリコーン油、例えばポリジメチルシロキサンが挙げられる。
【００９１】
１つの態様では、本発明の組成物は、保湿剤（humectant）、より好ましくはグリセリン、およびオイル、より好ましくは植物油および／またはペトロラタムを含んでいる。
【００９２】
１つの態様では、本発明のパーソナルケア組成物は、皮膚または髪上へのオイルの改善された堆積を与える。
【００９３】
１つの態様では、本発明のパーソナルケア組成物は、それぞれの場合において、この組成物の１００質量部を基準として、
（ａ）約５０〜１００質量部未満、より好ましくは約７０〜約９９質量部の水性の構造化された界面活性剤相（この構造化された界面活性剤相は、
（ｉ）０超〜約１５質量部、より好ましくは約０．５〜約１０質量部、そして更に好ましくは約１〜約８質量部の以下の構造（Ｉ）、
Ｒ１−Ｏ−(ＣｍＨ２ｍＯ)ｎ−ＳＯ３−Ｘ＋      （Ｉ）
（Ｒ１は（Ｃ８−Ｃ１８）アルキル、ｍは２または３、ｎは１〜約５の整数、Ｘ＋はカチオンである）、
で表される１種またはそれ以上の化合物を含むアルキルエーテルスルファート界面活性剤、
（ｉｉ）０超〜約１５質量部、より好ましくは約１．５〜約１２質量部、そして更に好ましく約３〜約１０質量部の、構造（ＩＩ）で表される１種またはそれ以上の化合物を含むアルキルスルファート界面活性剤、
【００９４】
【化１０】
0005536462.tif 000011
【００９５】
（Ｒ２は（Ｃ８−Ｃ１８）アルキル、またＸ＋はカチオンである）
（ｉｉｉ）０超〜約１０質量部、より好ましくは約０．５〜約６質量部、更に好ましくは約１〜約４質量部の、式（ＩＩＩ）で表される１種またはそれ以上の化合物を含むアルカノールアミド界面活性剤、
【００９６】
【化１１】
0005536462.tif 000012
【００９７】
（Ｒ３は（Ｃ５−Ｃ２４）の飽和もしくは不飽和、直鎖もしくは分岐脂肪族基、Ｒ４およびＲ５は同じか、もしくは異なっており、Ｃ２−Ｃ４の直鎖もしくは分岐脂肪族基、ｘは０〜１０の整数、ｙは１〜１０の整数、そしてｘおよびｙの合計は１０以下である）、および
（ｉｖ）０〜約１０質量部、より好ましくは約１〜約８質量部、そして更に好ましくは約２〜約６質量部の、構造（ＩＶ）および（Ｖ）で表される化合物から選ばれる１種またはそれ以上の化合物を含む両性界面活性剤、
【００９８】
【化１２】
0005536462.tif 000013
【００９９】
（Ｒ６は（Ｃ１−Ｃ１８）脂肪族、ｐは２または３、Ｒ７は（Ｃ１−Ｃ１８）脂肪族、ｐ’は２または３、またそれぞれのＸ＋は独立してカチオンである）
但し、成分（ｉ）、（ｉｉ）、（ｉｉｉ）および（ｉｖ）の総量は、該組成物の５質量部以上、より好ましくは約１０質量部以上、そして更に好ましくは約１５質量部以上であり、
（ｖ）成分（ｉ）、（ｉｉ）、（ｉｉｉ）および（ｉｖ）と組み合わせて、不透明の外観を有し、また０パスカル超の降伏強度を示す構造化された界面活性剤組成物を与えるのに有効な量の電解質、および
（ｖｉ）水、を含んでいる）、ならびに
（ｂ）０超〜約５０質量部、より好ましくは約１〜約３０質量部の、植物油から選ばれる１種またはそれ以上のオイルを含み、また前記の水性の構造化された界面活性剤相中に分散している、不連続な、水に不溶な、もしくは部分的に水溶性の相、を含んでいる。
【０１００】
１つの態様では、パーソナル組成物はスキンケア組成物であり、そしてこの組成物の１００質量部を基準として、約５０〜１００質量部未満、より好ましくは約７０〜約９９質量部、そして更に好ましくは約８０〜約９５質量部の水性の構造化された界面活性剤相、および０超〜約５０質量部、より好ましくは約１〜約３０質量部、そして更に好ましくは約５〜約２０質量部の不連続な、水に不溶な、もしくは部分的に水溶性の相を含んでいる。
【０１０１】
他の態様では、本発明のパーソナルケア組成物はヘアケア組成物であり、そしてこの組成物の１００質量部を基準として、約８５〜１００質量部未満、より好ましくは約９０〜約９９質量部、そして更に好ましくは約９５〜約９９質量部の水性の構造化された界面活性剤相、および０超〜約１５質量部、より好ましくは約１〜約１０質量部、そして更に好ましくは約１〜約５質量部の不連続な、水に不溶な、もしくは部分的に水溶性の相を含んでいる。
【０１０２】
本発明の構造化された界面活性剤組成物は、高分子増粘剤の存在なしても、零でない降伏強度を有する安定な構造化された組成物を与える。
【０１０３】
幾つかの用途においては、高分子増粘剤が望ましくないような粘着性の皮膚感触をこの組成物に与えると考えられる可能性があり、そしてポリマーはこの組成物中に含まれないか、またはポリマーの量は最小化されることが好ましい。１つの態様では、パーソナルケア組成物は高分子増粘剤を含まない。
【０１０４】
幾つかの用途では、高分子増粘剤の存在は不都合ではなく、そして１つの態様では本発明のパーソナルケア組成物は更に、この組成物の１００質量部を基準として、約５質量部以下、より好ましく約２質量部以下の高分子増粘剤を含んでいる。適切な高分子増粘剤は当技術分野において知られている化合物であり、そして例えば寒天、アルギン酸塩、アラビノキシラン、カラギナン、ゼラチン、ジェラン、ベータグルカン、アラビア・ゴム、ローカストビーンガム、ペクチン、サクシノグリカン、キサンタンゴム、グアー、グアー誘導体、例えばヒドロキシプロピルグアー（例えばジャガー（Jaguar）（商標）ＨＰ−８グアー、ジャガーＨＰ−１０５グアー、ジャガーＨＰ−６０グアー、ジャガーＨＰ−１２０グアー、ジャガーＨＰ−１６２グアー、それぞれローディア社（Rohdia Inc.）より入手可能）およびカチオン性グアー（例えばジャガーＣ−１７、ローディア社）、デンプン、デンプン誘導体、例えばヒドロキシプロピルデンプンリン酸ナトリウム（ピュアゲル（Pure-Gel）９８０およびピュアゲル９９８デンプン、それぞれグレインプロセシングコーポレーション（Grain Processing Corporation）より入手可能）、セルロースおよびセルロース誘導体、例えばカルボキシアルキルセルロース、ヒドロキシアルキルセルロース、アルキルセルロース、ヒドロキシエチルセルロースの第四級アンモニウム誘導体、アクリレート重合体、例えばアクリレート／アミノアクリレート／Ｃ１０−３０アルキルＰＥＣ−２０イタコナート共重合体（例えば、ナショナルスターチ（National Starch）のストラクチャ−プラス（Structure-Plus）（商標）ポリマー）、カチオン性ポリマー（例えばチバ（Ciba）のレオビス（Rheovis）ＣＳＰ、レオビスＣＤＥ、およびレオビスＣＤＰポリマー）、ポリアクリルイミドメチルプロパンスルホナート、例えばポリクアテルニウム−４（ＩＳＰのプレクサジェル（Plexagel）（商標））、疎水的に改質されたノニオン性ポリオール（例えばロームアンドハース（Rohm & Haas）のアキュゾール（Acusol）（商標）８８０およびアキュゾール８８２ポリオール）、およびＰＥＧ−１５０ジステアラート、が挙げられる。
【０１０５】
１つの態様では、本発明のパーソナルケア組成物は、０超〜約５質量部、より好ましくは約０．１〜約２質量部の１種またはそれ以上の高分子増粘剤、より好ましくは１種またはそれ以上の多糖類高分子増粘剤を含んでいる。
【０１０６】
本発明のパーソナルケア組成物の１つの態様では、有益剤はこの組成物の１００質量部を基準にして、０超〜約２５質量部、より好ましくは約０．５〜約２０質量部の保湿剤（humectant）、より好ましくはグリセリンを含み、またこの組成物は更にこの組成物の１００質量部を基準にして、０超〜約５質量部、より好ましくは約０．１〜約２質量部の高分子増粘剤、より好ましくは１種またはそれ以上の多糖類高分子増粘剤を含んでいる。
【０１０７】
１つの態様では、本発明の組成物はこの組成物の１００質量部を基準にして、０超〜約１．５質量部、より好ましくは約０．１〜約０．５質量部のカチオン性グアーおよび０超〜約２質量部、より好ましくは約０．１〜約１．０質量部の誘導体化されていないグアーを含む高分子増粘剤成分を含んでいる。
【０１０８】
更に所望の高分子成分を含む本発明によるパーソナルケア組成物のこれらの態様では、このポリマーは、ポリマーを欠く同様の組成物と比べて、増大された粘度を与え、そして改善された安定性を与えることができ、また構造化された界面活性剤組成物の降伏強度を増加させる。
【０１０９】
本発明によるパーソナルケア組成物は、場合によっては更に、このパーソナルケア組成物の１００質量部を基準にして、またそれぞれのこのような成分についで独立に、約０〜約１０質量部、より好ましくは０．５質量部〜約５．０質量部の当技術分野で知られている他の成分、例えば保存料、例えばベンジルアルコール、メチルパラベン、プロピルパラベンおよびイミダゾリジニル尿素、電解質、例えば塩化ナトリウム、硫酸ナトリウム、ポリビニルアルコール、およびクエン酸ナトリウム；ｐＨ調整剤、例えばクエン酸、コハク酸、リン酸、水酸化ナトリウム、炭酸ナトリウム；染料、および封鎖剤、例えばエチレンジアミン四酢酸ジナトリウムを含んでいる。
【０１１０】
１つの態様では、本発明のパーソナルケア組成物は、本発明による構造化された界面活性剤成分を含んでおり、これは第１の巨視的な「相」（これ自身が複数の相を含んでいてもよく、その相としては、上記で議論したように、水性の相、平面的なラメラ界面活性剤相および球状のラメラ界面活性剤相が挙げられる）を形成しており、またこの組成物は更に、このような第１の相とは少なくとも実質的に違った、１種またはそれ以上の更なる巨視的な相を含んでいてもよい。ここで本発明の多相の態様の相を表すのに用いられる用語「実質的に違った」は、これらの相はそれぞれが特定の相内では実質的に均一な特性を示し、またこれらの相は少なくとも１つの特徴もしくは特性、例えば視覚的特徴、例えば色調、透明度、真珠光沢、または物理的／化学的特性、例えば粘度、潤滑性、および／または有益剤含量に関して異なっていることを意味している。
【０１１１】
本出願の構造化された界面活性剤組成物および、本出願のパーソナルケア組成物の構造化された界面活性剤相としてのその使用は、オイルの存在下で良好な泡立ち性能を与え、皮膚および／または髪上へのオイルの良好な堆積を与え、また高分子成分の存在を要求することなしに、オイル相が高度に担持されることを可能にする。
【実施例】
【０１１２】
例Ａ１〜Ａ２７
実施例Ａ２、３、５、６、９、１０、１２、１３、１５、２１、２２、２４および２６ならびに参考例Ａ１、４、７、８、１１、１４、１６〜２０、２３、２５および２７の組成物を、表Ａ−Ｉ〜Ａ−ＩＩＩ中で、相対量を与えるために列挙した成分を組み合わせることによって説明した。
【０１１３】
【表１】
0005536462.tif 000014
【０１１４】
例Ａ１〜Ａ２７のそれぞれの組成物を、外観、明らかな巨視的相の見掛けの数、その組成物中に気泡を懸濁する能力によって示される降伏強度の見掛けの存在、を調べるために視覚的に評価した。降伏強度を示すように見える、単一の不透明相を示す組成物は球状組成物と判定した。それぞれの場合において、肯定的な結果を表中では「＋」と示し、また「ＮＲ」は、その例では評価の結果が報告されていないことを示している。
【０１１５】
【表２】
0005536462.tif 000015
【０１１６】
【表３】
0005536462.tif 000016
【０１１７】
【表４】
0005536462.tif 000017
【０１１８】
例Ｂ１〜Ｂ２４
実施例Ｂ２〜１２、１６〜１８および２１〜２４ならびに参考例Ｂ１、１３〜１５および１９〜２０の組成物を、表Ｂ−Ｉ〜Ｂ−ＩＩＩ中で説明した相対量を与えるために列挙した成分を組み合わせることによって作り、そして外観、明らかな巨視的相の見掛けの数、降伏強度の見掛けの存在を、例Ａ１〜Ａ２７に関して上述したのと同じ方法で評価した。
【０１１９】
【表５】
0005536462.tif 000018
【０１２０】
【表６】
0005536462.tif 000019
【０１２１】
【表７】
0005536462.tif 000020
【０１２２】
幾つかの組成物の降伏強度は、ＴＡインスツルメント（Instruments）のＡＲ−Ｇ２レオメータ（Rheometer）を用いて、応力を剪断速度、典型的には０．１ｓ−１〜５００ｓ−１、の関数として測定することにより定めた。実施例Ｂ３の組成物は５．２６４Ｐａの降伏強度を示し、また実施例Ｂ６の組成物は１．４０３Ｐａの降伏強度を示した。
【０１２３】
参考例Ｃ１〜Ｃ１４
参考例Ｃ１〜Ｃ１４のパーソナルケア組成物を、組成物１００質量部当たりの質量部として示した量を含む組成物を与えるために列挙した成分を組み合わせることによって作った。
【０１２４】
全ての組成物が、保湿（moisturizing）ボディーウォッシュ組成物として有用な、不透明で、白色の、粘性のあるクリーム状の組成物を与えた。
【０１２５】
【表８】
0005536462.tif 000021
【０１２６】
【表９】
0005536462.tif 000022
【０１２７】
【表１０】
0005536462.tif 000023
【０１２８】
これらの組成物の幾つかで、実施例Ｂ３およびＢ６の組成物について上記した方法を用いて降伏強度を測定した。参考例Ｃ１の組成物は、５．５５６Ｐａの降伏強度を示し、また参考例Ｃ２の組成物は４．４３Ｐａの降伏強度を示した。
【産業上の利用可能性】
【０１２９】
本発明により、例えばホームケア用途、およびパーソナルケア用途などにおいて有用である構造化された界面活性剤組成物が提供される。